(57)【要約】      （修正有）【課題】背上げ可能なベッドにおいて、背上げした状態にてベッド側部で端座位をとることなく、ベッド前方から容易に離床できるベッドを提供すること。【解決手段】ベッド１において、昇降機構にてベッド本体２に対して昇降される昇降フレーム４に背上げ機構５にて背上げされる背部支持枠６を配設させる。また、前記昇降フレーム４に腰部支持枠７を配設させる。さらに、前記腰部支持枠７下方に脚部支持枠８を収納させる収納機構１０を具備させる。そして、脚部支持枠８を腰部支持枠７下方に収納させる際に、前記昇降機構３を動作させ、昇降フレーム４を上昇させることで、前記腰部支持枠７下方に空間部を形成させる。該空間部が形成されると、前記収納機構１０を動作させて、前記脚部支持枠８が配設された摺動フレーム９を前記ベッド本体２に対して移動させることで、腰部支持枠７下方に形成された前記空間部に、脚部支持枠を収納させるように構成する。【選択図】図１
2006141496.tif 000002
【特許請求の範囲】
【請求項１】
少なくともベッド本体に対して昇降フレームを昇降させる昇降機構と、前記昇降フレームに配設された背部支持枠を背上げさせる背上げ機構と、前記昇降フレームに配設された腰部支持枠下方に脚部支持枠を収納させる収納機構を有するベッドにおいて、脚部支持枠を腰部支持枠下方に収納させる際に、前記昇降機構を動作させ、昇降フレームを上昇させることで、前記腰部支持枠下方に空間部を形成させ、そして、収納機構を動作させて、前記脚部支持枠が配設された摺動フレームを前記ベッド本体に対して移動させることで、腰部支持枠下方に形成された前記空間部に、前記脚部支持枠を収納させるようにしたことを特徴とするベッド。
【発明の詳細な説明】
【技術分野】
【０００１】
本発明は、背上げ可能なベッドに関するものである。
【背景技術】
【０００２】
今日までに、背上げ可能なベッドとして様々な形態のものが提案されている。その中でも、第７図に示すベッドは、背上げを行うとともに、脚部パネルが大腿部パネルに回動自在に枢着されており、脚部パネルが水平状態から垂下した状態に変更可能なもので、ベッド状態とソファー状態とに形態を変更することができるものである（例えば、特許文献１参照。）。
【０００３】
このベッドでは、背上げとともに脚部パネルが下方回動するように構成されており、ソファーの形態をとることが可能となっている。すなわち、このベッドでは、身体の向きを換えることなく、ベッドに仰臥した状態からソファーに腰掛けた状態まで自動的にベッド側の操作によって行え、立ち上がる（離床する）ことが容易にできるという効果がある。しかしながら、ソファー状態で着座した姿勢を楽なものとするためには、臀部から膝までの長さと略々同等の大きさの大腿部パネルとする必要があり、この大腿部パネルの大きさになると、脚部パネルは膝下の長さ以上の長さを有していないとベッド上で仰臥する際にベッドから脚がはみ出してしまう欠点がある。そのため、大きな脚部パネルとなり、腰掛けた状態では使用者の足がフロアーに届かない状態となり、使用上においては、立ち上がり易さにかけるものである。
【特許文献１】特表平９−５０８０４１号公報
【発明の開示】
【発明が解決しようとする課題】
【０００４】
本発明は上記事情に鑑み、背上げ可能なベッドにおいて、背上げした状態にてベッド側部で端座位をとることなく、ベッド前方から容易に離床できるベッドを提供することを課題としている。
【課題を解決するための手段】
【０００５】
請求項１の発明は、少なくともベッド本体に対して昇降フレームを昇降させる昇降機構と、前記昇降フレームに配設された背部支持枠を背上げさせる背上げ機構と、前記昇降フレームに配設された腰部支持枠下方に脚部支持枠を収納させる収納機構を有するベッドにおいて、脚部支持枠を腰部支持枠下方に収納させる際に、前記昇降機構を動作させ、昇降フレームを上昇させることで、前記腰部支持枠下方に空間部を形成させ、そして、収納機構を動作させて、前記脚部支持枠が配設された摺動フレームを前記ベッド本体に対して移動させることで、腰部支持枠下方に形成された前記空間部に、前記脚部支持枠を収納させるようにしたことを特徴とする。
【発明の効果】
【０００６】
請求項１の発明によれば、脚部支持枠を腰部支持枠下方に収納させる際に、前記昇降機構を動作させ、昇降フレームを上昇させることで、前記腰部支持枠下方に空間部を形成させるようにした。そして、収納機構を動作させて、前記脚部支持枠が配設された摺動フレームを前記ベッド本体に対して移動させることで、腰部支持枠下方に形成された前記空間部に、前記脚部支持枠を収納させるようにした。
これによると、このベッドは、昇降機構にて昇降フレームを上昇させることで、脚部支持枠を収納させるための空間部を形成するようにしていることで、ベッドのベッド状態における床部の高さを低くすることができる。また、昇降機構にて昇降フレームを上昇させた際の腰部支持枠の高さを、ベッドに仰臥していた使用者の離床しやすい高さとすることができる。
また、このベッドは、脚部支持枠を腰部支持枠下方に収納できるようにしたことで、脚部支持枠を腰部支持枠下方に収納した際、ベッド前方に開放空間を形成することができ、ベッドに仰臥していた使用者が離床するためのスペースを確保することができる。
さらに、このベッドは、脚部支持枠を腰部支持枠下方に収納させた際に背上げ機構にて背部支持枠を背上げさせることで、ベッドの形態をベッド状態からソファー状態へ変更することができ、ベッドに仰臥した使用者が身体の向きを換えることなく腰掛けた状態となれ、ベッドの側部で端座位を取ることなく、使用者がベッド前方から容易に離床できる。
【発明を実施するための最良の形態】
【０００７】
ベッドにおいて、昇降機構にてベッド本体に対して昇降される昇降フレームに、背上げ機構にて背上げされる背部支持枠を配設させる。また、前記昇降フレームに腰部支持枠を配設させる。さらに、前記腰部支持枠下方に脚部支持枠を収納させる収納機構を具備させる。そして、脚部支持枠を腰部支持枠下方に収納させる際に、前記昇降機構を動作させ、昇降フレームを上昇させることで、前記腰部支持枠下方に空間部を形成させる。該空間部が形成されると、前記収納機構を動作させ、前記脚部支持枠が配設された摺動フレームを前記ベッド本体に対して移動させることで、腰部支持枠下方に形成された前記空間部に、脚部支持枠を収納させるように構成する。
【０００８】
これによると、このベッドは、昇降機構にて昇降フレームを上昇させることで、脚部支持枠を収納させるための空間部を形成するようにしていることで、ベッドのベッド状態における床部の高さを低くすることができる。さらに、ベッドに仰臥した使用者が万一床部からフロアーへ転落したとしても負傷することを極力防ぐことができるとともに、使用者に安心感を与えることができる。また、昇降機構にて昇降フレームを上昇させた際の腰部支持枠の高さを、ベッドに仰臥していた使用者の離床しやすい高さとすることができる。
また、このベッドは、脚部支持枠を腰部支持枠下方に収納できるようにしたことで、脚部支持枠を腰部支持枠下方に収納した際、ベッド前方に開放空間を形成することができ、ベッドに仰臥していた使用者が離床するためのスペースを確保することができる。
さらに、このベッドは、脚部支持枠を腰部支持枠下方に収納させた際に背上げ機構にて背部支持枠を背上げさせることで、ベッドの形態をベッド状態からソファー状態へ変更することができ、ベッドに仰臥した使用者が身体の向きを換えることなく腰掛けた状態となれ、ベッドの側部で端座位を取ることなく、使用者がベッド前方から容易に離床できる。
【実施例１】
【０００９】
本発明にかかるベッドの一実施形態を図面に基づいて説明する。第１図はベッドのベッド状態を示す側面図である。第２図はベッドの構成を示す説明図である。第３図はベッドの構成を示す斜視図である。第４図は増幅ユニットの構成を示す説明図である。第５図は昇降機構が動作された状態を示す側面図である。第６図はベッドのソファー状態を示す側面図である。
【００１０】
このベッド１は、フロアーＦＬに設置されるベッド本体２と、該ベッド本体２に対して昇降機構３にて昇降可能に配設される昇降フレーム４と、該昇降フレーム４に回動可能に配設されるとともに昇降機構３の動作に伴って背上げ機構５にて背上げされるベッド１に仰臥した使用者の背部を支持する背部支持枠６と、前記昇降フレーム４に配設される使用者の腰部を支持する腰部支持枠７と、前記ベッド本体２に対して前後に摺動可能に配設される使用者の脚部を支持する脚部支持枠８が配設される摺動フレーム９と、該摺動フレーム９を前後に摺動させるための収納機構１０から主に構成されている。
【００１１】
まず、ベッド本体２について説明する。
このベッド本体２は、第２図に示すように、設置部材２ａ，２ａ，・・・の上端にパイプ状の主桁２ｂ，２ｂが固着され、該主桁２ｂ，２ｂ後部間に連結桁２ｃが固着されて、平面視において略々逆コ字形状に構成されている。
【００１２】
次に、前記ベッド本体２に対して昇降可能に配設される昇降フレーム４と、該昇降フレーム４を昇降させるための昇降機構３について説明する。
まず、昇降フレーム４は、第２図に示すように、主桁４ａ，４ａの前部と中間部の下面に軸受板４ｂ，４ｂ，・・・が固着されるとともに、主桁４ａ，４ａの前部と中間部間に連結桁４ｃ，４ｃが固着され、さらに、後部間に横桁４ｄが固着されて、平面視において略々矩形状に構成されている。また、この昇降フレーム４には、第３図に示すように、平面視において略々矩形状に構成された前記腰部支持枠７が該支持枠７の両側部に設けられた取付具７ａ，７ａを介して主桁４ａ，４ａの前部上面に固着されている。なお、腰部支持枠７の内部には、補強桁７ｂ，７ｂが複数本固着されるとともに、図示しないステー部材が複数本固着されている。
【００１３】
次に、前記昇降機構３は、第２図に示すように、横桁１１ａの両端に回動プレート１１ｂ，１１ｂが固着された回動ユニット１１と、該回動ユニット１１の回動プレート１１ｂ，１１ｂと略々同形状の従回動プレート１２，１２と、適宜伸縮作動可能なアクチュエーター１３から構成されている。詳述すると、前記回動ユニット１１の回動プレート１１ｂ，１１ｂの上部側と前記昇降フレーム４の主桁４ａ，４ａ中間部に設けられた軸受板４ｂ，４ｂとが軸部材１４，１４にて枢結されるとともに、回動プレート１１ｂ，１１ｂの下部側と前記ベッド本体２の主桁２ｂ，２ｂ中間部下面に設けられた軸受板２ｄ，２ｄとが軸部材１５，１５にて枢結されている。さらに、前記従回動プレート１２，１２の上部側と前記昇降フレーム４の主桁４ａ，４ａ前部に設けられた軸受板４ｂ，４ｂとが軸部材１６，１６にて枢結されるとともに、従回動プレート１２，１２の下部側と前記ベッド本体２の主桁２ｂ，２ｂ前部下面に設けられた軸受板２ｅ，２ｅとが軸部材１７，１７にて枢結されている。すなわち、前記ベッド本体２と昇降フレーム４との間に前記回動ユニット１１と従回動プレート１２，１２にて平行リンクが形成されている。また、前記回動ユニット１１の横桁１１ａの中間部に設けられた取付具１１ｃに前記アクチュエーター１３の前部が枢結されるとともに、アクチュエーター１３の後部が前記ベッド本体２の連結桁２ｃ中間部に設けられた取付具２ｆに枢結されて、昇降機構３が構成されている。
このように構成された昇降機構３は、アクチュエーター１３を縮めることにより、軸部材１５，１５を中心に回動ユニット１１を上方へ回動させると、従回動プレート１２，１２も軸部材１７，１７を中心に上方へ回動され、昇降フレーム４を略々水平な状態を保った状態で上昇させるようにされている（第１図及び第５図参照。）。
【００１４】
続いて、前記ベッド本体２に対して前後に摺動可能に配設される摺動フレーム９について説明する。
この摺動フレーム９は、第２図に示すように、摺動桁９ａ，９ａの前部下面に車輪９ｂ，９ｂが取付られるとともに、摺動桁９ａ，９ａの前部間に連結桁９ｃが固着されて、平面視において略々コ字形状に構成されている。また、この摺動フレーム９には、平面視において略々矩形状に構成された前記脚部支持枠８が前記連結桁９ｃに設けられた取付プレート９ｄ，９ｄに固着されている。なお、脚部支持枠８の内部には、補強桁８ａ，８ａ，８ａが複数本固着されるとともに、図示しないステー部材が複数本固着されている。
このように構成された摺動フレーム９は、前記ベッド本体２の主桁２ｂ，２ｂに前記摺動桁９ａ，９ａ後部が挿通されて、ベッド本体２に対して前後に摺動可能に配設される。
【００１５】
次に、前記摺動フレーム９を前後に摺動させるための収納機構１０について説明する。
この収納機構１０は、第２図に示すように、適宜伸縮作動可能なアクチュエーター１８と、該アクチュエーター１８の前部に後部が枢結されるアクチュエーター１８の伸縮量を増幅して前記摺動フレーム９を前後に摺動させるための増幅ユニット１９と、前記昇降機構３の動作に伴って摺動フレーム９を前後に摺動させるためのロッド２０から構成されている。
前記増幅ユニット１９は、第４図に示すように、正面視において略々コ字形状のベースプレート２１ａ，２１ａ間側部に少なくとも隙間２１ｂ，２１ｂが形成されるよう二つの前記ベースプレート２１ａ，２１ａを一体としたケース体２１が構成され、該ケース体２１内部の前部と後部に上下方向の軸心を有する軸材２２，２２が取付けられている。さらに、前記ケース体２１の内部かつ前記軸材２２，２２を中心に回動可能にローラー２３，２３が取付けられている。また、一端に連結板２４ａ，２４ａが取付けられ、他端に平面視において略々コ字形状の連結具２４ｂ，２４ｂが取付けられたワイヤー部材２４，２４二本を、連結板２４ａ，２４ａと連結具２４ｂ，２４ｂに軸部材２５，２６を挿通させることで連結させるとともに、ループ状とした二本のワイヤー部材２４，２４を前記ローラー２３，２３間に配設させ、ワイヤー部材２４，２４及び軸部材２５，２６がケース体２１内部に配設されている。また、前記軸部材２５，２６には、複数のカラー部材２７，２７，２８，２８が取付けられ、軸部材２５，２６がぐらつくことなく前記ケース体２１の隙間２１ｂ，２１ｂに沿って前後に移動できるようにされている。なお、前記ワイヤー部材２４，２４は、前記ローラー２３，２３の側方に軸部材２５，２６が一個ずつ位置するようにローラー２３，２３間に配設されている。また、前記軸部材２５，２６は、少なくとも前記ケース体２１の隙間２１ｂ，２１ｂから側方へ突出する長さを有している。
【００１６】
このように構成された増幅ユニット１９は、第４図の（ａ）図に示す状態から（ｂ）図に示す状態へ、一方の軸部材２５を固定端とした状態で、例えば、ケース体２１を後方（第４図の（ｂ）図中矢印の方向。）へ移動させると、ローラー２３，２３とワイヤー部材２４，２４との作用にて、他方の軸部材２６はケース体２１に対して、ケース体２１の後方への移動量の分だけ後方へ移動するようになる。このとき、ケース体２１自体も後方へ移動されているため、他方の軸部材２６は、ケース体２１に対する移動量と合わせて、ケース体２１の移動量に対して二倍の量を移動することになる。すなわち、この増幅ユニット１９は、上述の条件のもとでケース体２１を移動させると、ケース体２１の移動量に対して他方の軸部材２６が二倍の移動量で移動するよう構成されている。
【００１７】
この増幅ユニット１９は、第２図に示すように、ケース体２１の後部に設けられた取付具２１ｃに前記アクチュエーター１８の前部が枢結されるとともに、アクチュエーター１８の後部が前記昇降フレーム４の横桁４ｄ中間部に設けられた取付具４ｅに枢結され、さらに、一方の軸部材２６が前記脚部支持枠８に設けられた取付板８ｂに取付けられて配設されている。さらに、増幅ユニット１９の他方の軸部材２５に前記ロッド２０の前部が枢結されるとともに、ロッド２０の後部が前記昇降機構３の回動ユニット１１の横桁１１ａ中間部に設けられた取付具１１ｄに枢結されて、収納機構１０は構成されている。
【００１８】
続いて、前記昇降フレーム４に回動可能に配設される背部支持枠６と、該背部支持枠６を昇降機構３の動作に伴って背上げする背上げ機構５について説明する。
前記背部支持枠６は、第３図に示すように、平面視において略々矩形状に構成されており、該支持枠６の前側両側部に設けられた軸受具６ａ，６ａに枢結された軸部材２９，２９が前記昇降フレーム４の主桁４ａ，４ａに取付けられて昇降フレーム４に回動可能に配設されている。また、背上げ機構５の杆体３０，３０の後部が前記ベッド本体２の連結桁２ｃ両側部に設けられた取付具２ｇ，２ｇに枢結されるとともに、杆体３０，３０の前部が前記背部支持枠６の下面に設けられた軸受板６ｂ，６ｂに枢結されて、背上げ機構５がベッド本体２と背部支持枠６との間に構成されている。なお、背部支持枠６の内部には、補強桁６ｃ，６ｃが複数本固着されるとともに、図示しないステー部材が複数本固着されている。
【００１９】
このように構成されたベッド１の各支持枠６，７，８は、ベッド１の各構成部材にて、第１図に示すベッド状態において、同一平面を形成するよう支持されており、背部支持枠６と腰部支持枠７の上部にマットＭ１が配設されるとともに、脚部支持枠８の上部にマットＭ２が配設されて、使用者が仰臥する床部が形成されている。
【００２０】
続いて、このように構成されたベッド１の図示しない制御装置による動作について以下に説明する。
まず、図示しない制御装置を操作して、第１図に示すベッド状態から昇降機構３のアクチュエーター１３を縮めると、軸部材１５，１５を中心に回動ユニット１１が上方へ回動されるとともに、従回動プレート１２，１２も軸部材１７，１７を中心に上方へ回動されて、昇降フレーム４が略々水平な状態を保った状態で上昇され、腰部支持枠７下方に脚部支持枠８を収納可能な空間部Ｓが形成される。この動きに伴い、背上げ機構５の杆体３０，３０のベッド本体２側との枢結部Ｂ１，Ｂ１と背部支持枠６側との枢結部Ｂ２，Ｂ２との前後方向の距離が縮まることで、杆体３０，３０が枢結部Ｂ１，Ｂ１を中心に上方へ回動され、背部支持枠６が軸部材２９，２９を中心に回動されて、背上げされる。さらに、これらの動きに伴い、収納機構１０のロッド２０及びアクチュエーター１８が後方へ移動され、増幅ユニット１９が作動されることなく、増幅ユニット１９と摺動フレーム９が後方へ移動されて、ベッドは第５図に示す状態となる。
次に、図示しない制御装置を操作して、第５図に示す状態から収納機構１０のアクチュエーター１８を縮めると、ロッド２０の作用により増幅ユニット１９の軸部材２５が固定端となった状態で、ケース体２１が後方へ移動される。これにより、増幅ユニット１９が作動され、脚部支持枠８に取付けられた軸部材２６がケース体２１の移動量に対して二倍の移動量にて後方へ移動されることで、摺動フレーム９がケース体２１の移動量に対して二倍の移動量で後方へ移動され、脚部支持枠８が腰部支持枠７の下方の前記空間部Ｓに収納されて、ベッド１は第６図に示すソファー状態となる。
【００２１】
このように、このベッド１は、昇降機構３と収納機構１０を併用することで、ベッド１の形態を第１図に示すベッド状態から第６図に示すソファー状態へ変更することができ、ベッド１に仰臥した使用者が身体の向きを換えることなく、ベッド１側の操作にて自動的に腰掛けた状態となれ、ベッド１の側部で端座位を取ることなく、使用者がベッド１前方から容易に離床できる。
また、このベッド１は、昇降機構３にて昇降フレーム４を上昇させることで、脚部支持枠８を収納させるための空間部Ｓを形成するようにしていることで、第１図に示すベッド状態における床部の高さを低くすることができ、ベッド１に仰臥した使用者が万一床部からフロアーＦＬへ転落したとしても負傷することを極力防ぐことができるとともに、使用者に安心感を与えることができる。また、昇降機構３にて昇降フレーム４を上昇させた際の腰部支持枠７のフロアーＦＬからの高さを、ベッド１に仰臥していた使用者の離床しやすい高さとすることができる。
さらに、このベッド１は、収納機構１０の増幅ユニット１９にて、アクチュエーター１８によるケース体２１の移動量に対して二倍の量で摺動フレーム９を移動させるようにしたことで、アクチュエーターのストロークの小さなものを選定することが可能となり、ベッド１をより安価に構成することが可能となる。
また、このベッド１は、収納機構１０にて脚部支持枠８を腰部支持枠７下方に収納できるようにしたことで、脚部支持枠８を腰部支持枠７下方に収納した際に、ベッド１前方に開放空間を形成することができ、ベッド１に仰臥していた使用者が離床するためのスペースを確保することができる。
【００２２】
なお、本実施例においては、昇降機構３に平行リンクを用いることで昇降フレーム４を上昇させるとともに後方へも移動させるようにしており、昇降機構３の動作に伴って背上げ機構５が動作され、背部支持枠４が背上げされるようにしている。しかしながら、図示してはいないが、ベッド本体と背部支持枠との間にアクチュエーター等を具備させ、該アクチュエーターの伸縮作動にて背部支持枠を背上げ可能とした背上げ機構を単独で動作可能なものとしても良い。この場合には、アクチュエーター等を用いてベッド本体に対して昇降フレームを直接的に真上に持ち上げるようにした昇降機構を用いても良い。また、ベッド本体と昇降フレームとの間に配設したワイヤー等の中途部をアクチュエーター等で押し引きさせることによってベッド本体に対して昇降フレームを真上に持ち上げるようにした昇降機構を用いても良い。すなわち、昇降機構の形態はこの限りでなく、図示しない制御装置にて制御できる昇降機構であれば、同様の作用と効果を得ることができる。なお、ここに例示したような昇降機構を昇降フレームの上昇に伴って後方等への移動を伴うものとした場合には、実施例１のように昇降機構の動作に伴って背上げ機構を動作させることも可能である。また、ベッドの形態を第１図に示すベッド状態または第６図に示すソファー状態へ変更させる際に、ベッドに仰臥した使用者でなく、介護者が操作を行うのであれば、図示してはいないが、昇降機構または収納機構を、ハンドル等の回転操作によって動作する手動操作可能なものとしても何ら問題はない。同様に、介護者が操作するのであれば、背上げ機構を手動操作にて動作するものとしても問題はない。
【００２３】
また、ベッドの形態を第１図に示すベッド状態から第６図に示すソファー状態へ変更させる際に、収納機構１０を作動させようとすると、図示しない制御装置により、まず昇降機構３が動作されて、昇降フレーム４を脚部支持枠８が収納可能な高さまで上昇させ、その状態になると、収納機構１０が動作されて、脚部支持枠８を腰部支持枠７の下方に収納するようにしても良い。また、ベッドの形態を第６図に示すソファー状態から第１図に示すベッド状態へ変更させる際に、昇降機構３を作動させようとすると、図示しない制御装置により、まず収納機構１０が動作されて、脚部支持枠８を前方へ移動させ、腰部支持枠７下方に空間部Ｓが形成された状態となると、昇降機構３が動作されて、昇降フレーム４をベッド１の床部が形成されるよう下降させるようにしても良い。このようにすると、ベッド１の形態を変更させる際に、手順を踏んで操作を行う必要がなくなり、至便にベッド１の形態を変更させることができる。
【図面の簡単な説明】
【００２４】
【図１】ベッドのベッド状態を示す側面図。（実施例１）
【図２】ベッドの構成を示す説明図。（実施例１）
【図３】ベッドの構成を示す斜視図。（実施例１）
【図４】増幅ユニットの構成を示す説明図。（実施例１）                        （ａ）増幅ユニットの構成を示す説明図。                                      （ｂ）増幅ユニットが作動した状態を示す説明図。
【図５】昇降機構が動作された状態を示す側面図。（実施例１）
【図６】ベッドのソファー状態を示す側面図。（実施例１）
【図７】特許文献１のベッドを示す側面図。
【符号の説明】
【００２５】
１    ベッド
２    ベッド本体
３    昇降機構
４    昇降フレーム
５    背上げ機構
６    背部支持枠
７    腰部支持枠
８    脚部支持枠
９    摺動フレーム
１０  収納機構
Ｓ    空間部
【図１】
2006141496.tif 000003
【図２】
2006141496.tif 000004
【図３】
2006141496.tif 000005
【図４】
2006141496.tif 000006
【図５】
2006141496.tif 000007
【図６】
2006141496.tif 000008
【図７】
2006141496.tif 000009